(57)【要約】【課題】電池の充電状況を表示し、並びに広告情報を表示できること。【解決手段】小型電池充電機および表示手段を含む。小型電池充電機は、制御パネル、電池取付孔、充電平台、及び２つの充電手段を設け、該充電平台は、前記電池取付孔の対応箇所に設けられ、該２つの充電手段は、可動台座およびプローブモジュールをそれぞれ設けており、各プローブモジュールは、複数のプローブを設け、２つのプローブモジュールで電池の正／負電極とのプローブがどちらであるかを正確に検出するとともに、該２つのプローブモジュールで電池が補充しようとする電圧および電流量を提供し、該表示手段は、制御回路、再生モジュール、及び表示ユニットを設け、該制御回路は、小型電池充電機の２つの充電手段に電気的に接続され、該再生モジュールは制御回路に接続され、制御回路にビデオ信号を転送し、該表示ユニットは制御回路に電気的に接続され、制御回路内に受信した信号を表示ユニットを介して表示させる。【選択図】図1
0003141488.tif 000002
【実用新案登録請求の範囲】
【請求項１】
小型電池充電機と、表示手段と、を含む広告付き小型電池充電機であって、
前記小型電池充電機は制御パネル、電池取付孔、充電平台、第１の充電手段及び第２の充電手段を具備し、
前記制御パネルおよび電池取付孔は、小型電池充電機本体の外側に設けられ、
前記充電平台は、前記電池取付孔の対応箇所に設けられ、
前記第１の充電手段は、可動台座および第１のプローブモジュールを具備し、
前記第１のプローブモジュールは、可動台座上に設けられ、
前記第１のプローブモジュールは、複数のプローブを具備し、
これらの各プローブは、ベースに一体に形成したプローブ内にばねとともに可動的に配設され、各プローブがスリーブの頂部に設けられたスールホールに挿入され、
各プローブは検出回路および充電回路に並列して接続し、
前記検出回路および充電回路は、さらに制御ＩＣに接続し、
前記充電回路およびプローブ間に電流保護回路が別に設けられ、
電源は、検出回路、制御ＩＣおよび充電回路に電気的に接続され、稼働電力を提供し、
前記第１の充電手段の複数のプローブは、充電平台の後側に設けられ、かつ水平方向に設けられ、
前記第２の充電手段は、可動台座および第２のプローブモジュールを具備し、
前記第２のプローブモジュールは、可動台座上に設けられ、
第２のプローブモジュールは、複数のプローブを具備し、
これらの各プローブは、ベースに一体に形成したプローブ内にばねとともに可動的に配設され、各プローブがスリーブの頂部に設けられたスールホールに挿入され、
各プローブは検出回路および充電回路に並列して接続し、
前記検出回路および充電回路は、さらに制御ＩＣに接続し、
前記充電回路およびプローブ間に電流保護回路が別に設けられ、
電源は、検出回路、制御ＩＣおよび充電回路に電気的に接続され稼働電力を提供し、
前記第２の充電手段の複数のプローブは、充電平台の下方に設けられ、かつ垂直方向に設けられ、
前記表示手段は制御回路、再生モジュール及び表示ユニットを具備し、
前記制御回路は、小型電池充電機内部の第１の充電手段および第２の充電手段の検出回路及び充電回路に電気的に接続され、
制御回路にビデオ信号を転送可能なように前記再生モジュールは、制御回路に接続し、
制御回路内に受信した信号を表示ユニットを介して表示するように、前記表示ユニットは制御回路に電気的に接続されてていることを特徴とする広告付き小型電池充電機。
【請求項２】
前記充電平台の上方には、さらに押え板が設けられ、電池を押付けて固定させることを特徴とする請求項１に記載の広告付き小型電池充電機。
【請求項３】
前記充電平台の後側には、第２の充電手段の複数のプローブが対応するための開口が形成されることを特徴とする請求項１に記載の広告付き小型電池充電機。
【請求項４】
前記充電平台の一側にサイドストッパが設けられ、前記充電平台の後側にバックストッパが設けられ、前記バックストッパは、第１の充電手段の複数のプローブ及び第２の充電手段の複数のプローブが対応するための開穴を設けていることを特徴とする請求項１に記載の広告付き小型電池充電機。
【請求項５】
前記第１のプローブモジュールは、５０ピンのプローブを、前記第２のプローブモジュールは、２００ピンのプローブを設けていることを特徴とする請求項１に記載の広告付き小型電池充電機。
【請求項６】
前記第１の充電手段の可動台座及び第２の充電手段の可動台座は、それぞれ伝動機構で連動していることを特徴とする請求項１に記載の広告付き小型電池充電機。
【請求項７】
前記伝動機構はモータであり、前記モータ上に可動台座を作動するためのオフセット輪が設けられていることを特徴とする請求項６に記載の広告付き小型電池充電機。
【請求項８】
前記制御回路は、さらに、外部からビデオ信号を転送し制御するための転送インターフェースを設けていることを特徴とする請求項１に記載の広告付き小型電池充電機。
【請求項９】
前記転送インターフェースは、有線転送であることを特徴とする請求項８に記載の広告付き小型電池充電機。
【請求項１０】
前記転送インターフェースは、無線転送であることを特徴とする請求項８に記載の広告付き小型電池充電機。
【請求項１１】
前記再生モジュールは、ＤＶＤ／ＶＣＤ再生機、ハードディスク型再生機、カード読取型マルチメディア再生機のうち何れか一つを採用し、ビデオ信号を転送することを特徴とする請求項１に記載の広告付き小型電池充電機。
【請求項１２】
前記表示ユニットは、陰極射線管スクリーン、液晶ディスプレイ及び有機発光ダイオードディスプレイのうち何れか一つを採用したことを特徴とする請求項１に記載の広告付き小型電池充電機。
【考案の詳細な説明】
【技術分野】
【０００１】
本考案は、広告付き小型電池充電機に係り、特に、小型電池充電機および表示手段の組合設計により、小型電池充電機の内部に２つの充電手段が設けられ、該２つの充電手段が表示手段に電気的に接続され、電池を充電する時に表示手段により電池情報および広告情報を表示でき、携帯電話や、デジタルカメラなどの様々な携帯型電子製品の電池充電機或いは類似構造に適用な広告付き小型電池充電機に関するものである。
【背景技術】
【０００２】
科学技術の急速な発展に伴い、電子器材の多くは、その体積が大幅に減少されて、個人的に携帯し易くなりつつあるが、様々なメーカの操作方式が異なり、設計ニーズの違いがあるため、電池タイプや充電器はメーカ毎に異なっている。
【０００３】
今、個人で１台を保有する携帯電話を例に説明する。
一般に携帯電話は、電池が搭載され、さらに充電器が付いていて使用者が使用し易いようになっている。
使用者が室内に居るときに、携帯電話の電池の電力が無くなれば、充電器で電池にフル蓄電して継続的に使用できるが、使用者が充電するのを忘れていて、かつ丁度室外に居るときに電池の電力がなくなると、携帯電話を使用した通話やデータ検索等がきなくなる。
【０００４】
前記問題を解決するため、小型電池充電機が提案されている。
小型電池充電機は室外にいる使用者にとっても携帯電話の電池に充電することができる。
小型電池充電機は、異なる種類の電池であっても、電池を識別して充電することができる。
しかしながら、電池が他人に盗られないようにするため、充電を完了するまでのあいだ使用者が小型電池充電機の傍で待たなければならず、電池充電機を使用する上で非常に不便であるといった欠点がある。
【０００５】
本考案は以上の点に鑑みて成されたもので、表示ユニットを介して充電時において電池の充電の進捗及び電池の関連情報を表示できるとともに、広告情報も見られる広告付き小型電池充電機を提供することにある。
【考案の開示】
【考案が解決しようとする課題】
【０００６】
本考案の主な目的は、小型電池充電機および表示手段の組合せにより、該表示手段は制御回路を設け、該制御回路は小型電池充電機の２つの充電手段に電気的に接続され、表示手段の表示ユニットで表示することにより充電進捗及び電池関連情報を知ることができて、便利性を向上させる広告付き小型電池充電機を提供することにある。
【０００７】
本考案の次の目的は、表示手段が再生モジュールを具備し、再生モジュールは制御回路に接続され、電池を充電する時に、表示ユニットを介して制御回路のビデオ信号を受信し、表示ユニットに広告情報を再生し、使用者は電池充電を待つ間に広告を見ることができて実用性を向上させる広告付き小型電池充電機を提供することにある。
【０００８】
本考案の他の目的は、充電平台後側および下方に、それぞれ、第１の充電手段および第２の充電手段が設けられ、第１のプローブモジュールおよび第２のプローブモジュールの検出により、異なる電子製品の電池の正／負電極接触の端子を正確に判断し充電でき、携帯している電子製品、例えば、携帯電話や、ＰＤＡ、小型ゲーム機、デジタルカメラ等の電池を充電できて、的確性を向上させる広告付き小型電池充電機を提供することにある。
【課題を解決するための手段】
【０００９】
前記目的を達成するために、本考案は、小型電池充電機および表示手段を含む。前記小型電池充電機は、制御パネル、電池取付孔、充電平台、及び２つの充電手段を設け、前記充電平台は、前記電池取付孔の対応箇所に設けられ、前記２つの充電手段は、可動台座およびプローブモジュールをそれぞれ設けており、各プローブモジュールは、複数のプローブを設け、２つのプローブモジュールで電池の正／負電極とのプローブがどちらであるかを正確に検出するとともに、前記２つのプローブモジュールで電池が補充しようとする電圧および電流量を提供し、前記表示手段は、制御回路、再生モジュール、及び表示ユニットを設け、前記制御回路は、小型電池充電機の２つの充電手段に電気的に接続され、前記再生モジュールは制御回路に接続され、制御回路にビデオ信号を転送し、前記表示ユニットは制御回路に電気的に接続され、制御回路内に受信した信号を表示ユニットを介して表示させることによって、全体には電池充電状況を表示し並びに広告情報を見ることができる。
【考案の効果】
【００１０】
本考案は、小型充電機本体および表示手段の組合せにより、表示手段である表示ユニットを介して電池の充電の進捗度合いや電池の関連情報を表示することができて、便利性を向上させることができる。
さらに使用者が電池の充電を待つ間に広告を見ることができるように、表示ユニットに広告情報を再生することができる。
また、第１のおよび第２のプローブモジュールの検出により、異なる電子製品の電池の正／負電極接触の端子を正確に判断して充電することができて、その便利性および実用性を増進させることができる。
【００１１】
以下、図面を参照しながら本考案に係る実施例について説明する。
【考案を実施するための最良の形態】
【００１２】
図１〜図８に示すように、本考案に係る広告付き小型電池充電機は、小型電池充電機１および表示手段７を含む。
【００１３】
小型電池充電機１は、制御パネル１１、電池取付孔１２、充電平台１０、第１の充電手段２０及び第２の充電手段３０を具備する。
制御パネル１１および電池取付孔１２は、小型電池充電機１の外側に設けられる。
充電平台１０は、電池取付孔１２の対応箇所に設けられる。
充電平台１０は、電池６を載置するものである。
充電平台１０の後側には開口１０１が形成される。
充電平台１０の一側にはサイドストッパ１０３が設けられる。
また、充電平台１０の後側にはバックストッパ１０４が設けられる。
バックストッパ１０４は、開穴１０５を設ける。
充電平台１０の上方には、押え板１０２が設けられる。
押え板１０２は、電池６を載置して位置決める時に、電池６を押付けて固定させるものである。
サイドストッパ１０３及びバックストッパ１０４は、電池６を充電平台１０に押付ける（該電池６の左側は、サイドストッパ１０３に当接し、該電池６の後側は、バックストッパ１０４に当接する）。
また、第１の充電手段２０は、可動台座２１および第１のプローブモジュール２２を具備する。
第１のプローブモジュール２２は、可動台座２１上に設けられる。
第１のプローブモジュール２２は、５０ピンのプローブ２２１を具備する。
これらのプローブ２２１は、ベース２２２に可動的に結合され、これらのプローブ２２１は、針状またはシート状に設けられる。
本実施例では、シート状プローブ２２１を例として説明する。
各プローブ２２１は、頂部にスールホールが設けられたスリーブ２２３内に挿入され、さらに、ばね２２４をプローブ２２１の下方に置いている。
さらに内部にプローブ２２１及びばね２２４が設けられたスリーブ２２３を一緒にベース２２２に結合させている。
各プローブ２２１は検出回路２３および充電回路２４に並列して接続している。
検出回路２３および充電回路２４は、さらに制御ＩＣ２５に接続している。
また、充電回路２４およびプローブ２２１間に電流保護回路２６が別に設けられている。
電源４０は、検出回路２３、制御ＩＣ２５および充電回路２４に電気的に接続されていて、稼働電力を提供する。
第１の充電手段２０の５０ピンのプローブ２２１は、充電平台１０の後側に設けられる。バックストッパ１０４の開口１０５に対応しかつ水平方向に設けられる。
第１の充電手段２０の可動台座２１は、伝動機構５０で連動される。
伝動機構５０はモータ５１である。
モータ５１上にオフセット輪５２が設けられる。
オフセット輪５２がモータ５１により制御され回転し、可動台座２１を連動して前後に動く。
検出回路２３は、主に、プローブ２２１の数に合せて設けられる。
本実施例では、５０ピンのプローブ２２１を設けているが、他のピン数のプローブ２２１を設けてもよい。
電池６が第１のプローブモジュール２２に接触すると、該制御ＩＣ２５は、検出回路２３を駆動し全てのプローブ２２１を検出、走査し、電池６の電極と接触のプローブ２２１はどちらであるかを検出するとともに、電池が必要とする電圧および電流を検出する。
また、検出回路２３は、電池６の正／負電極と接触のプローブ２２１はどちらであるかを同時に検出できる。
第２の充電手段３０は、可動台座３１および第２のプローブモジュール３２を具備している。
第２のプローブモジュール３２は、可動台座３１上に設けられる。
第２のプローブモジュール３２は、２００ピンのプローブ３２１を具備する。
これらのプローブ３２１は、ベース３２２に可動的に結合される。
これらのプローブ３２１は、針状またはシート状に形成される。
本実施例は、シート状プローブ３２１を例として説明する。
各プローブ３２１は、頂部にスールホールが設けられたスリーブ３２３内に挿入し、さらに、ばね３２４をプローブ３２１の下方に置いている。
さらに内部にプローブ３２１及びばね３２４が設けられたスリーブ３２３を一緒にベース３２２に結合させせている。
各プローブ３２１は検出回路３３および充電回路３４に並列して接続している。
検出回路３３および充電回路３４は、さらに制御ＩＣ３５に接続している。
また、充電回路３４およびプローブ３２１間に電流保護回路３６が別に設けられている。
電源４０は、検出回路３３、制御ＩＣ３５および充電回路３４に電気的に接続され、稼働電力を提供する。
第２の充電手段３０の２００ピンのプローブ３２１は、充電平台１０の下方に設けられる。
充電平台１０の開口１０１に対応しかつ垂直方向に設けられる。
第２の充電手段３０の可動台座３１は、伝動機構５０で連動される。
伝動機構５０はモータ５１である。モータ５１上にオフセット輪５２が設けられる。
オフセット輪５２がモータ５１により制御され回転し、可動台座３１を連動して上下に動く。
検出回路３３は、主に、プローブ３２１の数に合せて設けられ、本実施例は、２００ピンのプローブ３２１を設けているが、他のピン数のプローブ３２１を設けてもよい。
電池６が第２のプローブモジュール３２に接触すると、制御ＩＣ３５は、検出回路３３を駆動して全てのプローブ３２１を検出、走査し、電池６の電極と接触のプローブ３２１はどちらであるかを検出するとともに、電池が必要とする電圧および電流を検出する。
また、検出回路３３は、電池６の正／負電極と接触のプローブ３２１はどちらであるかを同時に検出できる。
【００１４】
表示手段７は、小型電池充電機１の外側に設けられる。本実施例では、小型電池充電機１が表示手段７上に嵌合されるが、表示手段７及び小型電池充電機１を１つの機体上に整合して設けられてもよい（図示せず）。
表示手段７は、制御回路７１、転送インターフェース７１１、再生モジュール７２、及び表示ユニット７３を具備する。
制御回路７１は、小型電池充電機１内部の第１の充電手段２０および第２の充電手段３０の検出回路２３、３３及び充電回路２４、３４に電気的に接続される。
制御回路７１は、第１の充電手段２０および第２の充電手段３０の検出回路２３、３３及び充電回路２４、３４の信号を受信できて、電池６を充電する時の状況及び電池６の関連情報を知ることができる。
また、制御回路７１は、転送インターフェース７１１を具備する。
転送インターフェース７１１は、有線転送方式、例えば、ＵＳＢ接続ポート、ＩＥＥＥ１３９４接続ポート、ネットワーク接続ポート、ＶＧＡ／ＴＶ接続ポート等である。
また、転送インターフェース７１１は、無線転送方式、例えば、無線ネットワーク802．11x、Ｂｌｕｅ-ｔｏｏｔｈ、赤外線転送、Ｗｉ-Ｆｉ転送等であってもよい。
転送インターフェース７１１が有線／無線方式で外部の信号と接続して、信号を制御回路７１内に転送させる。
また、再生モジュール７２は、制御回路７１に接続される。
再生モジュール７２は、本実施例では、ＤＶＤ／ＶＣＤ再生機を採用するが、ハードディスク型再生機、カード読取型マルチメディア再生機などのうちの何れか一つを採用してもよい。
制御回路７１にビデオ信号を転送させる。
また、表示ユニット７３は制御回路７１に電気的に接続される。
制御回路７１内に受信した検出回路２３、３３及び充電回路２４、３４の信号および再生モジュール７２のビデオ信号を表示ユニット７３を介して表示させるようになっている。
表示ユニット７３は、本実施例では、液晶ディスプレイ（Liquid Crystal Display:ＬＣＤ）で表示する場合を説明するが、陰極射線管スクリーン（Cathode Ray Tube:ＣＲＴ）や有機発光ダイオードディスプレイ（Organic Light-Emitting Diode:ＯＬＥＤ）などのうち何れか一つを採用してもよい。
【００１５】
図１〜図８を参照して説明する。
使用する時には、先ず、小型電池充電機１外部の電池取付孔１２を介し、電池６を充電平台１０上に載置する。
電池６を載置する際に、制御パネル１１の指示に従う。例えば、本実施例では電池６を左寄り載置し、電池６の充電端子を後または下方に対応する等の指示に応ずる必要がある。
電池６の左側は、サイドストッパ１０３に当接し、電池６の後側は、バックストッパ１０４に当接するように、制御パネル１１を操作して充電平台１０上方の押え板１０２を起動して電池６を押付けて固定する。
制御パネル１１で充電時間を設定する。設定作業を完了した後に充電し始める。
モータ５１上のオフセット輪５２は、充電平台１０の後側の第１の充電手段２０の可動台座２１を水平に前向きに移動するように制御される。
可動台座２１は、バックストッパ１０４の開口１０５に対応し、第１のプローブモジュール２２上の５０ピンプローブ２２１を電池６の充電端子に接触させる。
また、第２の充電手段３０の可動台座３１の下方に設けられた伝動機構５０も、同時に動作し、或いは第１の充電手段２０の動作完了までに待ってから、第２の充電手段３０の動作を制御し始める。
モータ５１上のオフセット輪５２は、充電平台１０の下方の第２の充電手段３０の可動台座３１を垂直に上向きに移動するように制御される。
可動台座３１は、充電平台１０の開口１０１に対応し、第２のプローブモジュール３２上の２００ピンプローブ３２１を電池６の充電端子に接触させる。
この時、図７に示すように、第１の充電手段２０の検出回路２３及び第２の充電手段３０の検出回路３３の設置がともに同じであるため、Ｐ１、Ｐ２の２本のプローブ２２１を例として説明する（Ｐ１、Ｐ２の２本のプローブ３２１も同じ）。
そのうち、Ｐ１、Ｐ２の２本のプローブ２２１の上方に、トランジスタＱ５、Ｑ６及び他の組のトランジスタＱ１、ダイオードＤ１及びトランジスタＱ３、ダイオードＤ３が連設され、さらにＰ１、Ｐ２の２本のプローブ２２１の下方に、１組のトランジスタＱ２、ダイオードＤ２及びトランジスタＱ４、ダイオードＤ４が接続されている。
トランジスタＱ１、Ｑ２、Ｑ３、Ｑ４、Ｑ６がともにオフ、トランジスタＱ５がオンであると、ＶDet＝ＶBat−Ｖ（Ｑ５）−ＶD4≒ＶBat−０．７Ｖであるため、パッドの電圧降下が０．６〜０．７Ｖ減少されることが分かる。
即ち、Ｐ１プローブ２２１が電池６の正極に接続されると見なす（Ｐ１プローブ３２１も同じ）。
また、トランジスタＱ１、Ｑ２、Ｑ３、Ｑ６がともにオフ、トランジスタＱ４、Ｑ５がオンであると、ＶDet＝ＶBat−Ｖ（Ｑ５）−Ｖ（Ｑ４）≒ＶBat−０．１Ｖであるため、パッドの電圧降下が０．１Ｖだけ減少されることが分かる。
即ち、Ｐ２プローブ２２１が電池６の負極に接続されると見なす（Ｐ２プローブ３２１も同じ）。
電池６の正極、負極を検出した後に、充電回路２４及び充電回路３４は、必要とする電源４０を提供して電池６に充電できる。
【００１６】
電池6を充電する時に、表示手段７の制御回路７１は、第１の充電手段２０および第２の充電手段３０の検出回路２３、３３及び充電回路２４、３４の信号を受信して、表示ユニット７３に、電池６の充電状況及び電池６の関連情報を表示させる。
使用者は、表示ユニット７３に表示された電池６の関連情報およびどのぐらいの時間で電池６の充電を終了できるかを知ることができる。
再生モジュール７２は、同時に予め録画した広告情報を再生して、表示ユニット７３により表示して使用者に見せる。
有線転送方式である転送インターフェース７１１を介して、外部のビデオ信号を制御回路７１に転送する。例えば、ＵＳＢ接続ポート、ＩＥＥＥ１３９４接続ポート、ネットワーク接続ポート、ＶＧＡ／ＴＶ接続ポート等を採用できる。
また、転送インターフェース７１１は、無線転送方式、例えば、無線ネットワーク802．11x、Ｂｌｕｅ-ｔｏｏｔｈ、赤外線転送、Ｗｉ-Ｆｉ転送等であってもよい。
転送インターフェース７１１を介して有線／無線方式で制御回路７１内に転送させることにより、外部からビデオ信号を該制御回路７１に転送させて、表示ユニット７３に表示させることができる。
使用者が電池６の充電を待つ間に、表示ユニット７３に電池６の充電進捗を同時に見ることができる。例えば電池６が現在まで既に充電した回数、使用状況、健康度、及び使用寿命等の情報を知るとともに、広告情報（再生モジュール７２または転送インターフェース７１１の有線／無線方式で転送したビデオ信号）を見ることもできる。
充電終了時間になった時には、第１の充電手段２０の可動台座２１及び第２の充電手段３０の可動台座３１は、各モータ５１上のオフセット輪５２により制御し移出される。
充電平台１０の押え板１０２が上昇する。
表示ユニット７３は、電池６の充電完了を表示し、使用者は、電池取付孔１２から電池６を取り出すことができる。
【００１７】
図１〜図８を参照すると、本考案に係る広告付き小型電池充電機の特徴は、小型電池充電機１および表示手段７の組合設計により、該表示手段７は制御回路７１を設け、該制御回路７１は、小型電池充電機1の第１の充電手段２０および第２の充電手段３０の検出回路２３、３３及び充電回路２４、３４に電気的に接続され、表示手段７の表示ユニット７３により電池６の充電進捗及び電池６の関連情報を知ることができ、また、該表示手段７は再生モジュール７２を設け、該再生モジュール７２は、ＤＶＤ/ＶＣＤ再生機、ハードディスク型再生機、カード読取型マルチメディア再生機などのうち何れか一つを採用しており、該再生モジュール７２は、制御回路７１に接続され、ビデオ信号を転送させるとともに、表示ユニット７３を介して広告情報を再生し、使用者は電池６の充電を待つ間に、同時に電池６の充電進捗を知りながら広告情報を見ることができ、また、該小型電池充電機１の充電平台１０の後側および下方に、それぞれ、第１の充電手段２０および第２の充電手段３０が設けられ、第１のプローブモジュール２２および第２のプローブモジュール３２の検出により、異なる電子製品の電池の正／負電極接触の端子を正確に判断し充電でき、携帯している電子製品、例えば、携帯電話や、ＰＤＡ、小型ゲーム機、デジタルカメラなどが、ともに充電できるようになることによって、全体には電池６の充電状況を表示し並びに広告情報を見ることができ、並びに異なる電子製品の電池６を充電でき、その便利性および実用性を増進させることができる。
【００１８】
以上は単に本考案の実施例を説明するための記載に過ぎず、本考案の特徴を限定するものではない。当業者が適宜行なう変換や修飾等も本考案に含まれるべきことは言うまでもないことである。
【図面の簡単な説明】
【００１９】
【図１】本考案の実施例を示す外観斜視図である。
【図２】本考案の小型電池充電機内部を示す外観斜視図である。
【図３】本考案の小型電池充電機の部分素子を示す分解図である。
【図４】本考案の２つの充電手段の各可動台座が充電平台との結合を示す図である。
【図５】本考案の小型電池充電機の単一プローブの組合を示す断面図である。
【図６】本考案の実施例を示す回路ブロック図である。
【図７】考案の小型電池充電機の検出回路の一部の詳細を示す回路図である。
【図８】本考案の小型電池充電機の使用状態を示す図である。
【符号の説明】
【００２０】
１・・・・・・小型電池充電機
１０・・・・・充電平台
１０１・・・・開口
１０２・・・・押え板
１０３・・・・サイドストッパ
１０４・・・・バックストッパ
１０５・・・・開穴
１１・・・・・制御パネル
１２・・・・・電池取付孔
２０・・・・・第１の充電手段
２１・・・・・可動台座
２２・・・・・第１のプローブモジュール
２２１・・・・プローブ
２２２・・・・ベース
２２３・・・・スリーブ
２２４・・・・ばね
２３・・・・・検出回路
２４・・・・・充電回路
２５・・・・・制御ＩＣ
２６・・・・・電流保護回路
３０・・・・・第２の充電手段
３１・・・・・可動台座
３２・・・・・第２のプローブモジュール
３２１・・・・プローブ
３２２・・・・ベース
３２３・・・・スリーブ
３２４・・・・ばね
３３・・・・・検出回路
３４・・・・・充電回路
３５・・・・・制御ＩＣ
３６・・・・・電流保護回路
４０・・・・・電源
５０・・・・・伝動機構
５１・・・・・モータ
５２・・・・・オフセット輪
６・・・・・・電池
７・・・・・・表示手段
７１・・・・・制御回路
７１１・・・・転送インターフェース
７２・・・・・再生モジュール
７３・・・・・表示ユニット
【図１】
0003141488.tif 000003
【図２】
0003141488.tif 000004
【図３】
0003141488.tif 000005
【図４】
0003141488.tif 000006
【図５】
0003141488.tif 000007
【図６】
0003141488.tif 000008
【図７】
0003141488.tif 000009
【図８】
0003141488.tif 000010